(57)【要約】【課題】複数のカメラを用いて、それぞれが有する利点を活用することを可能にする。【解決手段】連動シャッタ用接続アダプタ１４は、電子スチルカメラ１２と接続するためのリモートシャッタ連動ジャックと、銀塩フィルムカメラ１０を固定支持することができる固定支持手段（第１支持部材４１、第２支持部材４２）、連動シャッタスイッチ４５が設けられている。連動シャッタスイッチ４５に対するシャッタ操作により、銀塩フィルムカメラ１０に対して機械的なボタン押しによるシャッタ操作を実行し、電子スチルカメラ１２に対して電気的接続によるシャッタ操作を実行し、一度のシャッタ操作によってフィルム撮影と電子撮影とを同時に実行させる。【選択図】      図１
2005106961.tif 000002
【特許請求の範囲】
【請求項１】
第１のカメラに設けられたリモートシャッタ接続用のコネクタと接続する接続手段と、
第２のカメラを固定支持する固定支持手段と、
前記固定支持手段により前記第２のカメラが固定支持された状態でシャッタ操作されることで、前記第２のカメラと前記第１のカメラに対するシャッタ操作を実行する連動シャッタ手段と
を具備したことを特徴とするカメラ接続アダプタ。
【請求項２】
前記連動シャッタ手段は、前記第１のカメラに対して前記接続手段を通じた電気的接続によりシャッタ操作を実行し、前記第２のカメラに対して機械的なボタン押しによりシャッタ操作を実行することを特徴とする請求項１記載のカメラ接続アダプタ。
【請求項３】
他のカメラを固定支持する固定支持手段と、
前記固定支持手段により前記他のカメラが固定支持された状態でシャッタ操作されることで、前記他のカメラに対するシャッタ操作を実行する連動シャッタ手段と、
前記連動シャッタ手段に対するシャッタ操作に応じてシャッタ動作を実行するシャッタ制御手段と
を具備したことを特徴とするカメラ接続アダプタ付カメラ。
【請求項４】
前記固定支持手段は、前記他のカメラを固定支持する場合の第１の状態と、前記他のカメラを固定支持しない場合の第２の状態とに形状を変更できることを特徴とする請求項３記載のカメラ接続アダプタ付カメラ。
【請求項５】
撮影レンズと、
前記撮影レンズの位置を前記固定支持手段により前記他のカメラが固定支持された状態で使用可能な位置に変更するレンズ位置変更手段と
を具備したことを特徴とする請求項３または４記載のカメラ接続アダプタ付カメラ。
【請求項６】
前記固定支持手段によって前記第２のカメラを固定支持した状態における前記第２のカメラに設けられたファインダの光軸と、前記接続手段によって第１のカメラと接続した状態における前記第１のカメラに設けられたファインダの光軸とが一致するように、前記接続手段と前記固定支持手段が設けられていることを特徴とする請求項または２記載のカメラ接続アダプタ。
【請求項７】
前記固定支持手段によって前記他のカメラを固定支持した状態における前記他のカメラに設けられたファインダの光軸と、自機に設けられたファインダの光軸とが一致するように、前記固定支持手段が設けられていることを特徴とする請求項３乃至５の何れかに記載のカメラ接続アダプタ付カメラ。
【請求項８】
第１のカメラを固定支持する第１の固定支持手段と、
第２のカメラを固定支持する第２の固定支持手段と、
前記第１の固定支持手段と前記第２の固定支持手段のそれぞれにより固定支持された前記第１のカメラと前記第２のカメラに対して、同時にシャッタ動作をさせる連動シャッタ手段と
を具備したことを特徴とするカメラ接続アダプタ。
【請求項９】
前記連動シャッタ手段によってシャッタ動作された前記第１のカメラと前記第２のカメラのそれぞれによって撮影された画像を関連づけて記録する記録手段と
を具備したことを特徴とする請求項８記載のカメラ接続アダプタ。
【発明の詳細な説明】
【技術分野】
【０００１】
本発明は、複数のカメラ同士を接続するためのカメラ接続アダプタ、及びカメラ接続アダプタ付カメラに関する。
【背景技術】
【０００２】
近年では、様々な機能が搭載された電子スチルカメラ１２の普及が急速に進んでいるが、一方では従来からの銀塩フィルムカメラ１０も依然使用しているユーザが多い。電子スチルカメラ１２及び銀塩フィルムカメラ１０は、単体で使用するだけでなく、次のような他の器具や装置とを組み合わせて使用することもできる。
【０００３】
電子スチルカメラ１２では、撮影日時や撮影データなどを画像と一緒にメモリカードなどに一緒に記録できる機能を有しているものが多い。これに対して、銀塩フィルムカメラ１０でも、撮影日時の写し込み機能を内蔵したカメラやカメラの裏蓋に着脱式に取り付けるデータバック装置などがある。また、シャッタやセルフタイマをリモート操作するリモコン装置やリモートコード等もある。
【０００４】
また、電子スチルカメラ１２では、撮影レンズの前に取り付けて、ネガフィルムやスライド等を電子撮影記録するためのスライドコピーアダプタ等がある。
【０００５】
また、ＣＣＤなど固体撮像素子を用いた電子スチルカメラ１２と銀塩フィルムカメラ１０とを同一筐体内に一体式に内蔵して、電子撮影とフィルム撮影とを選択して、あるいは同時に撮影できるカメラも考えられている（例えば、特許文献１）。
【特許文献１】特許２９２８８６４号
【発明の開示】
【発明が解決しようとする課題】
【０００６】
このように、従来の電子スチルカメラ１２及び銀塩フィルムカメラ１０には、それぞれ固有の利便性があり、また他の器具や装置と組み合わせることで各種の機能を付加することができる。
【０００７】
しかしながら、銀塩フィルムカメラ１０では、画質に優れるが直ぐに撮影画像を見たい場合や、プリントが欲しい場合には不便であり、画像の編集や伝送などにも使いにくい。また、日時は、写し込み撮影もできるが、あとで、いつどこでどんな条件で撮影した写真か思い出せなくなる時など、情報の記録性や保存性にも劣る。
【０００８】
電子スチルカメラ１２では、年々画質も高精細になり、撮った画像をＬＣＤ画面で確認でき、記録の保存性や画像通信、２次加工編集が容易で、プリントもできる。また、他の情報もあわせて記録できるが、従来の印画紙に焼き付けた写真を欲しいユーザも多い。電子スチルカメラ１２のレンズの前に取り付けて、フィルム撮影したスライド等を電子撮影するためのスライドコピーアダプタ等もあるが、カメラで撮影し現像したフィルムやスライドを、再度電子スチルカメラ１２で写し直す必要があり手間がかかる。
【０００９】
電子スチルカメラ１２と銀塩フィルムカメラ１０とを同一筐体内に一体式に内蔵して、同時に撮影できるカメラなどもあるが（特許文献１）、カメラの形状が大きく重くなり、携帯性や汎用性（既存の様々な種類のカメラを使用できない）等の制約があった。
【００１０】
本発明は、前記のような問題に鑑みなされたもので、複数のカメラを用いて、それぞれが有する利点を活用することが可能なカメラ接続アダプタ、カメラ接続アダプタ付カメラを提供することを目的とする。
【課題を解決するための手段】
【００１１】
請求項１の発明は、第１のカメラに設けられたリモートシャッタ接続用のコネクタと接続する接続手段と、第２のカメラを固定支持する固定支持手段と、前記固定支持手段により前記第２のカメラが固定支持された状態でシャッタ操作されることで、前記第２のカメラと前記第１のカメラに対するシャッタ操作を実行する連動シャッタ手段とを具備したことを特徴とする。
【００１２】
請求項２の発明は、請求項１記載の発明において、前記連動シャッタ手段は、前記第１のカメラに対して前記接続手段を通じた電気的接続によりシャッタ操作を実行し、前記第２のカメラに対して機械的なボタン押しによりシャッタ操作を実行することを特徴とする。
【００１３】
請求項３の発明は、他のカメラを固定支持する固定支持手段と、前記固定支持手段により前記他のカメラが固定支持された状態でシャッタ操作されることで、前記他のカメラに対するシャッタ操作を実行する連動シャッタ手段と、前記連動シャッタ手段に対するシャッタ操作に応じてシャッタ動作を実行するシャッタ制御手段とを具備したことを特徴とする。
【００１４】
請求項４の発明は、請求項３記載の発明において、前記固定支持手段は、前記他のカメラを固定支持する場合の第１の状態と、前記他のカメラを固定支持しない場合の第２の状態とに形状を変更できることを特徴とする。
【００１５】
請求項５の発明は、請求項３または４記載の発明において、撮影レンズと、前記撮影レンズの位置を前記固定支持手段により前記他のカメラが固定支持された状態で使用可能な位置に変更するレンズ位置変更手段とを具備したことを特徴とする。
【００１６】
請求項６の発明は、請求項１または２記載の発明において、前記固定支持手段によって前記第２のカメラを固定支持した状態における前記第２のカメラに設けられたファインダの光軸と、前記接続手段によって第１のカメラと接続した状態における前記第１のカメラに設けられたファインダの光軸とが一致するように、前記接続手段と前記固定支持手段が設けられていることを特徴とする。
【００１７】
請求項７の発明は、請求項３乃至５の何れかに記載の発明において、前記固定支持手段によって前記他のカメラを固定支持した状態における前記他のカメラに設けられたファインダの光軸と、自機に設けられたファインダの光軸とが一致するように、前記固定支持手段が設けられていることを特徴とする。
【００１８】
請求項８の発明は、第１のカメラを固定支持する第１の固定支持手段と、第２のカメラを固定支持する第２の固定支持手段と、前記第１の固定支持手段と前記第２の固定支持手段のそれぞれにより固定支持された前記第１のカメラと前記第２のカメラに対して、同時にシャッタ動作をさせる連動シャッタ手段とを具備したことを特徴とする。
【００１９】
請求項９の発明は、請求項８記載の発明において、前記連動シャッタ手段によってシャッタ動作された前記第１のカメラと前記第２のカメラのそれぞれによって撮影された画像を関連づけて記録する記録手段とを具備したことを特徴とする。
【発明の効果】
【００２０】
請求項１記載の発明によれば、接続手段により第１のカメラ（例えば電子スチルカメラ１２）と接続し、固定支持手段により第２のカメラ（例えば銀塩フィルムカメラ１０）を固定支持した状態とし、連動シャッタ手段に対するシャッタ操作により、第２のカメラと第１のカメラに対するシャッタ操作を実行することができるので、既存のカメラを用いて、一度のシャッタ操作によって例えばフィルム撮影と電子撮影とを同時に行うことができる。既存のカメラを用いることで経済的であり、また既存のカメラが持つ利点を有効に利用することができる。
【００２１】
請求項２記載の発明によれば、請求項１の発明の効果に加えて、連動シャッタ手段に対する一度のシャッタ操作により、第１のカメラに対して接続手段を通じた電気的接続によりシャッタ操作を実行し、第２のカメラに対して機械的なボタン押しによりシャッタ操作を実行することができる。
【００２２】
請求項３記載の発明によれば、カメラ（例えば電子スチルカメラ１２）に他のカメラ（例えば銀塩フィルムカメラ１０）を固定支持する固定支持手段を設け、他のカメラが固定支持された状態でシャッタ操作されることで、他のカメラに対するシャッタ操作を実行すると共に、自機におけるシャッタ動作を実行するので、既存のカメラを用いて、一度のシャッタ操作によって例えばフィルム撮影と電子撮影とを同時に行うことができる。
【００２３】
請求項４記載の発明によれば、請求項３の発明の効果に加えて、固定支持手段が、他のカメラを固定支持する場合の第１の状態と、他のカメラを固定支持しない場合の第２の状態とに形状を変更できるようにすることで、他のカメラと同時に使用する場合にのみ他のカメラを固定支持できるようにして使い勝手を良くすることができる。
【００２４】
請求項５記載の発明によれば、請求項３または４の発明の効果に加えて、固定支持手段により他のカメラが固定支持された状態で撮影レンズを使用可能な位置に変更することができるレンズ位置変更手段を設けることで、固定支持手段により他のカメラを固定支持支持した場合に、この他のカメラが通常状態では撮像レンズの視野に対して障害となるとしても位置を変更することで対処することができる。
【００２５】
請求項６記載の発明によれば、請求項１または２の発明の効果に加えて、第２のカメラを固定支持した状態における第２のカメラに設けられたファインダの光軸と、第１のカメラと接続した状態における第１のカメラに設けられたファインダの光軸とが一致するようにそれぞれを固定支持することで、両方のカメラのファインダを通して同時撮影できるようにし、また視差による第２のカメラ（例えば銀塩フィルムカメラ１０）の撮影範囲を第１のカメラ（例えば電子スチルカメラ１２）において例えばＬＣＤモニタを通じて確認できる。
【００２６】
請求項７記載の発明によれば、請求項３乃至５の何れかの発明の効果に加えて、他のカメラを固定支持した状態における他のカメラに設けられたファインダの光軸と、自機に設けられたファインダの光軸とが一致するように他のカメラを固定支持することで、両方のカメラのファインダを通して同時撮影できるようにし、また視差による他のカメラ（例えば銀塩フィルムカメラ１０）の撮影範囲を自機（例えば電子スチルカメラ１２）において例えばＬＣＤモニタを通じて確認できる。
【００２７】
請求項８記載の発明によれば、第１のカメラと第２のカメラとをそれぞれ固定支持し、この固定支持された第１のカメラと第２のカメラに対して同時にシャッタ動作をさせることができるようにすることで、一度のシャッタ操作によって２つのカメラにより同時に撮影を実行させることができる。
【００２８】
請求項９記載の発明によれば、請求項８の発明の効果に加えて、第１のカメラと第２のカメラのそれぞれによって同時に撮影された画像を関連づけて記録することで、例えばステレオ（三次元）の画像を写して一つの画像として記録することができる。
【発明を実施するための最良の形態】
【００２９】
以下、図面を参照して本発明の実施の形態について説明する。  
（第１実施形態）
図１は、第１実施形態における銀塩フィルムカメラ１０、電子スチルカメラ１２、及び連動シャッタ用接続アダプタ１４の使用状態を示す図である。
【００３０】
第１実施形態では、電子スチルカメラ１２を市販や一般の別筐体により構成される既存の銀塩フィルムカメラ１０（一眼レフカメラ、レンズ付きフィルム等）の背面（後部）に設置して、電子スチルカメラ１２のシャッタ操作と銀塩フィルムカメラ１０のシャッタ操作とを連動させて、同時撮影できるようにした構成である。
【００３１】
電子スチルカメラ１２と銀塩フィルムカメラ１０は、連動シャッタ用接続アダプタ１４によって連結される。連動シャッタ用接続アダプタ１４には連動シャッタスイッチ４５が設けられており、この連動シャッタスイッチ４５に対するスイッチ操作によって銀塩フィルムカメラ１０に対してシャッタ操作が実行されると共に、電子スチルカメラ１２に対しても同時にシャッタ操作が実行される。
【００３２】
図２乃至図４は、第１実施形態における銀塩フィルムカメラ１０、電子スチルカメラ１２、及び連動シャッタ用接続アダプタ１４の構成の一例について示している。
【００３３】
図２は、銀塩フィルムカメラ１０の外観構成（斜視図）を示している。銀塩フィルムカメラ１０の前面部には、撮像レンズ２０、ファインダ２４、ストロボ２６、ストロボスイッチ２７などが設けられている。銀塩フィルムカメラ１０の上面部には、シャッタボタン２２が設けられている。シャッタボタン２２に対しては、機械的なボタン押しによるシャッタ操作がされる。
【００３４】
図３は、電子スチルカメラ１２の外観構成（斜視図）を示している。電子スチルカメラ１２の上面部には、シャッタスイッチ３１、電源スイッチ３２等が設けられている。電子スチルカメラ１２の前面部には、撮像レンズ３０、光学ファインダ３４、ストロボ３６など通常のカメラ機能を実行するための機構のほか、シャッタ連動コネクタ３５が設けられている。シャッタ連動コネクタ３５は、一般のリモートシャッタボタン（レリーズスイッチ）を接続することができる（図４（ｃ）にリモートシャッタボタン（レリーズスイッチ）の一例を示す）。シャッタ連動コネクタ３５にリモートシャッタボタンが電気的接続されることで、シャッタ操作を受け付けることができる。電子スチルカメラ１２の後面部には、各種設定やメニュー選択などをするために操作される方向ボタンや選択ボタンなどを有する操作部３７、モニタ画像や撮影した画像、あるいは各種設定項目やメニューが表示される電子ファインダ３８（液晶モニタ）が設けられている。
【００３５】
図４（ａ）（ｂ）は、連動シャッタ用接続アダプタ１４の外観構成（斜視図）を示している。連動シャッタ用接続アダプタ１４は、基底支持部材４０の上端部に設けられたヒンジ機構を介して第１支持部材４１が結合され、下端部に設けられたヒンジ機構を介して第２支持部材４２が結合されている。第１支持部材４１と第２支持部材４２は、図４（ａ）に示すように、ヒンジ機構によって基底支持部材４０側に折り畳まれた状態（第２の状態）から、図４（ｂ）に示すように、銀塩フィルムカメラ１０を固定支持する場合の状態（第１の状態）に回動させて形状を変更することができる。銀塩フィルムカメラ１０は、第１支持部材４１と第２支持部材４２との間で上下で挟持されることで固定支持される。
【００３６】
また、基底支持部材４０には、第１支持部材４１と第２支持部材４２が回動可能な側と反対側、すなわち銀塩フィルムカメラ１０が固定支持される側と反対側にリモートシャッタ連動ジャック４４が設けられている。リモートシャッタ連動ジャック４４は、例えば図４（ｃ）に示すような、一般のリモートシャッタボタン（レリーズスイッチ）に設けられるリモートシャッタ連動ジャック４７と同一の形状となっている。リモートシャッタボタン（レリーズスイッチ）は、スイッチ４９が押されると、リモートシャッタ連動ジャック４７を介して電気的に接続されたカメラに対して、電気信号の送受によりシャッタ操作を実行させることができる。また、リモートシャッタ連動ジャック４４は、連動シャッタ用接続アダプタ１４を電子スチルカメラ１２に対して係止（固定）するようにも機能している。
【００３７】
連動シャッタ用接続アダプタ１４の第１支持部材４１には、銀塩フィルムカメラ１０を固定支持した状態において、リモートシャッタボタン（レリーズスイッチ）のスイッチ４９と同様にシャッタ操作を受け付けることができる連動シャッタスイッチ４５が設けられている。連動シャッタスイッチ４５は、リモートシャッタ連動ジャック４４を介して電子スチルカメラ１２と電気的に接続され、シャッタ操作されることで、電気信号（シャッタスイッチ信号）の送受により電子スチルカメラ１２に対してシャッタ操作を実行させることができる。
【００３８】
また、連動シャッタスイッチ４５は、第１支持部材４１及び第２支持部材４２によって銀塩フィルムカメラ１０を固定支持した状態において、銀塩フィルムカメラ１０の上面部に設けられたシャッタボタン２２の上（好ましくは真下）に位置するように設けられている（あるいは、連動シャッタスイッチ４５の下に銀塩フィルムカメラ１０のシャッタボタン２２が位置するように、第１支持部材４１及び第２支持部材４２によって銀塩フィルムカメラ１０を固定支持できる）。連動シャッタスイッチ４５は、シャッタ操作されることで、銀塩フィルムカメラ１０のシャッタボタン２２に対して機械的なボタン押しによりシャッタ操作を実行することができる。
【００３９】
従って、連動シャッタスイッチ４５に対する一度のシャッタ操作により、電気的接続による電子スチルカメラ１２のシャッタ操作と、機械的な押しボタンによる銀塩フィルムカメラ１０のシャッタ操作とを同時に実行させて、電子スチルカメラ１２による電子撮影と銀塩フィルムカメラ１０によるフィルム撮影とを同時にできるようにしている。
【００４０】
図５には、銀塩フィルムカメラ１０、電子スチルカメラ１２、連動シャッタ用接続アダプタ１４の接続方法を示す図である。  
図５に示すように、銀塩フィルムカメラ１０の前面部に設けられたシャッタ連動コネクタ３５に対して、連動シャッタ用接続アダプタ１４の基底支持部材４０に設けられたリモートシャッタ連動ジャック４４を装着する。これにより、連動シャッタ用接続アダプタ１４が電子スチルカメラ１２に対して固定される。
【００４１】
連動シャッタ用接続アダプタ１４は、第１支持部材４１と第２支持部材４２とがヒンジ機構により、それぞれ水平に近い状態にまで開放され、銀塩フィルムカメラ１０を固定支持する場合の状態（第１の状態）にされる。
【００４２】
ここで、銀塩フィルムカメラ１０は、シャッタボタン２２が連動シャッタスイッチ４５の真下となるように位置が合わされて、第１支持部材４１と第２支持部材４２とにより挟持されることで固定支持される。こうして、銀塩フィルムカメラ１０、電子スチルカメラ１２、及び連動シャッタ用接続アダプタ１４とを、図１に示すような一体化した状態とすることができる。
【００４３】
図６には、図１に示す状態における、銀塩フィルムカメラ１０、電子スチルカメラ１２、及び連動シャッタ用接続アダプタ１４の機能構成を示す図を示している。
【００４４】
銀塩フィルムカメラ１０には、レンズ／露光系ユニット５０、シャッタ５１、フィルム室ユニット５２などが実装されている。レンズ／露光系ユニット５０及びシャッタ５１は、シャッタ／露光制御部５３によって制御される。シャッタ／露光制御部５３は、シャッタボタン２２に対するシャッタ操作に応じて、ストロボ制御部５４によりストロボ２６を閃光駆動させると共に、シャッタ５１を開閉駆動させて被写体の画像をフィルム５６に記録させる。シャッタボタン２２は、図示するように、連動シャッタスイッチ４５が押下されることで機械的にボタン押しされる。なお、ストロボ制御部５４は、ストロボスイッチ２７がストロボ駆動させる側に切り替えられている場合に、電池５５からの電力を図示せぬストロボ用の大容量コンデンサに充電させた上でストロボ２６を閃光駆動する。
【００４５】
電子スチルカメラ１２には、カメラ全体を制御するシステム制御部６０が設けられている。システム制御部６０は、シャッタスイッチ３１と接続される配線がシャッタ操作によってオン接続（短絡）されるか、あるいはシャッタ連動コネクタ３５に接続される配線がシャッタ操作によってオン接続されることによりシャッタ動作を実行する。システム制御部６０は、シャッタ動作として、シャッタ／露光系６３、シャッタ６４、及びストロボ３６を、それぞれ絞り制御部６８、シャッタ制御部６７、ストロボ制御部６１によって制御する。シャッタ／露光系６３、シャッタ６４を通じて受光される被写体の光は、タイミング制御部６２による操作駆動制御に従い撮像素子６５によって光電変換され、Ａ／Ｄ変換部６６によってデジタルデータ化されて入力される。
【００４６】
システム制御部６０は、撮影時では、Ａ／Ｄ変換部６６を介して入力されるデジタルデータに対して画像信号処理部６９によりデータ圧縮等の処理を施して、画像データメモリ７０に撮影画像として記録する。また、システム制御部６０は、撮像系（シャッタ／露光系６３〜Ａ／Ｄ変換部６６）を通じて入力される画像データを表示用画像データメモリ７２に記録し、表示用画像データメモリ７２に記録された画像データに基づいた表示を表示部７３により表示させて、電子ファインダ３８として画像をリアルタイムに表示する。
【００４７】
また、システム制御部６０は、操作部７４を通じて入力される各種指示に応じて、各種設定動作や処理を実行する。また、システム制御部６０は、Ｉ／Ｏインタフェース７５を通じて通信部／送受信部７６を制御し、画像データメモリ７０に記録された画像データの転送など、外部機器等との間で通信を実行することができる。また、Ｉ／Ｏインタフェース７７を通じて、図示せぬメモリスロットを通じて装着される着脱式外部メモリ７８に対して画像データを記録し、また着脱式外部メモリ７８に記録された画像データを読み出して画像データメモリ７０に記録する。システム制御部６０は、電源スイッチ７９による操作により起動される。システム制御部６０は、電源制御部８０を通じて電池８１から供給される電力を制御する。
【００４８】
連動シャッタ用接続アダプタ１４には、機械的なボタン押しによりシャッタ操作がされる連動シャッタスイッチ４５が設けられている。連動シャッタスイッチ４５が押されると、同時に、その直下のスイッチ基板上のスイッチ端子と電源端子とが、例えば電導ゴムなどで電気的に接続され、リモートシャッタ連動ジャック４４、シャッタ連動コネクタ３５を介して、電子スチルカメラ１２のシャッタスイッチ３１と並列に接続した配線を短絡させる。これにより、システム制御部６０にシャッタスイッチ信号が入力される。システム制御部６０は、シャッタスイッチ信号の入力に応じて、絞り制御部６８、ストロボ制御部６１、タイミング制御部６２により各部を制御すると共に、シャッタ制御部６７によりシャッタ６４を開閉駆動して、撮像素子６５、Ａ／Ｄ変換部６６により被写体の画像信号を入力する一連の撮影処理を行う。そして、画像信号処理部６９の制御により、Ａ／Ｄ変換部６６を通じて入力される画像データを画像データメモリ７０に記録する。
【００４９】
なお、図６に示す電子スチルカメラ１２の構成では、シャッタスイッチ３１と連動シャッタスイッチ４５からの配線を並列につなげて、何れかがオン接続（スイッチ操作）されるとシャッタ動作を実行させるようにしたが、他の電気的接続を介した信号の送受によりシャッタ動作が実行されるものとしても良い。
【００５０】
例えば、電子スチルカメラ１２は、連動シャッタ用接続アダプタ１４と図示せぬ入出力インタフェースを介して接続し、連動シャッタ用接続アダプタ１４から例えばシリアル通信によるリモート信号や、複数のコード信号を送受信するなど、汎用型のリモート操作信号や多機能のリモコン信号を受信して動作するものとしても良い。この場合、連動シャッタ用接続アダプタ１４は、電子スチルカメラ１２に対して、連動シャッタスイッチ４５に対するスイッチ操作に応じて、前述したような信号を送受信する制御機能を設ける。
【００５１】
また、図１〜図５に示す構成例では、電子スチルカメラ１２の筐体の方が銀塩フィルムカメラ１０の筐体よりも背が高く、かつ撮像レンズ３０を高い位置にしている。これにより、銀塩フィルムカメラ１０の背面に電子スチルカメラ１２を設置して、電子スチルカメラ１２の光学ファインダ３４（電子ファインダ３８）を見ながら、両方のカメラで同時に撮影できる構成としている。これに対して、電子スチルカメラ１２の方が銀塩フィルムカメラ１０よりも背を低くし、撮像レンズ３０を低い位置とする構成にして、銀塩フィルムカメラ１０の前面に電子スチルカメラ１２を設置して、連動シャッタ用接続アダプタ１４を電子スチルカメラ１２の背面に設置して、銀塩フィルムカメラ１０のファインダ２４を見ながら、同時撮影できるように構成しても良い。
【００５２】
また、前述した説明では、銀塩フィルムカメラ１０と電子スチルカメラ１２とを前後に並べて配置しているが、横に並べて設置する構成としても良い。この場合、横に並べる配置に合わせた形状の連動シャッタ用接続アダプタ１４を構成することで対応できる。図１〜図５に示す構成では、連動シャッタスイッチ４５と電子スチルカメラ１２とを、シャッタ連動コネクタ３５及びリモートシャッタ連動ジャック４４とによってのみ連結しているが、両者を左右に並べて安定して連結するために別の固定支持手段を設けても良い。また、この場合の連動シャッタ用接続アダプタ１４には、銀塩フィルムカメラ１０を横に並べて固定支持するのに好適な支持部材が設けられるものとする。
【００５３】
このようにして、第１実施形態では、電子スチルカメラ１２と別筐体の銀塩フィルムカメラ１０とを連動シャッタ用接続アダプタ１４を介して一体化し、連動シャッタ用接続アダプタ１４に設けられた連動シャッタスイッチ４５に対する一度のシャッタ操作によって、銀塩フィルムカメラ１０と電子スチルカメラ１２の両方にシャッタ操作させることができるので、同時にフィルム撮影と電子撮影とをすることができる。電子スチルカメラ１２は、筐体前面に連動シャッタ用接続アダプタ１４のリモートシャッタ連動ジャック４４を装着するためのシャッタ連動コネクタ３５を設けただけで、既存の独立したカメラを使用することができる。また、電子スチルカメラ１２についても、レンズ付きフィルムなど一般のフィルムカメラをそのまま使用することができる。従って、フィルム撮影と電子撮影とを同時にするために特殊な構造をもったカメラとする必要がないので経済的である。
【００５４】
同じ撮影タイミングの撮影画像が、銀塩フィルムカメラ１０にも電子スチルカメラ１２にも同時に記録されるので、印画紙にプリントしたい場合には、フィルム撮影したフィルムを現像やＤＰＥに出せば良く、電子画像として記録したり、２次加工や編集したり、通信回線で送信する場合等では、電子スチルカメラ１２側の電子記録画像を利用すればいいので、両方の利点を共に自由に利用できる。
【００５５】
また、フィルム撮影では、フィルム代や現像ＤＰＥ料などが高くつくので、多数の撮影をする場合には、電子スチルカメラ１２のみで撮影し、ＬＣＤモニタなどで確認して両方に記録したい場合のみ、フィルムでも撮影することができる連動シャッタスイッチ４５を操作して撮影するなど、使い分けながら利用できるので経済的である。
【００５６】
（第２実施形態）  
次に、本発明の第２実施形態について説明する。  
図７は、第２実施形態における銀塩フィルムカメラ１０、電子スチルカメラ１２ａの構成と接続方法を示す図である。図７に示すように、第２実施形態の電子スチルカメラ１２ａは、第１実施形態で説明した連動シャッタ用接続アダプタ１４と同等の機能を持つ連動シャッタ用フィルムカメラ接続部１４ａを設けた構成としている。
【００５７】
すなわち、連動シャッタ用フィルムカメラ接続部１４ａは、電子スチルカメラ１２ａの前面部に上部に設けられたヒンジ機構を介して第１支持部材４１ａが結合され、下部に設けられたヒンジ機構を介して第２支持部材４２ａが結合されている。第１支持部材４１ａと第２支持部材４２ａは、図７に示すように、ヒンジ機構によって電子スチルカメラ１２ａの筐体側に折り畳まれた状態（第２の状態）から、銀塩フィルムカメラ１０を固定支持する場合の状態（第１の状態）に回動させて形状を変更することができる。銀塩フィルムカメラ１０は、第１支持部材４１ａと第２支持部材４２ａとの間で上下で挟持されることで固定支持される。
【００５８】
また、第１支持部材４１ａには、第１実施形態の連動シャッタ用接続アダプタ１４と同様に連動シャッタスイッチ４５ａが設けられている。連動シャッタスイッチ４５ａは、シャッタ操作されることで、シャッタスイッチ３１ａと同等に機能し、また銀塩フィルムカメラ１０のシャッタボタン２２に対して機械的なボタン押しによりシャッタ操作を実行することができる。
【００５９】
また、電子スチルカメラ１２ａには、撮像レンズ３０ａ及び光学ファインダ３４ａが設けられた筐体を、連動シャッタ用フィルムカメラ接続部１４ａによって固定支持される銀塩フィルムカメラ１０によって撮像レンズ３０ａの視野がふさがらない位置まで高さを上げるレンズ位置変更機構８３が設けられている。レンズ位置変更機構８３は、回転構造を持ち、撮像レンズ３０ａの筐体を通常状態の位置から筐体上面部に載置する位置まで軸回転させることで高さを変えることができる。
【００６０】
なお、図７に示す電子スチルカメラ１２ａの構成では、撮像レンズ３０ａと光学ファインダ３４ａが設けられた筐体を、レンズ位置変更機構８３を軸にして回転させて位置を変更するものとしたが、別の機構を用いて撮像レンズ３０ａと光学ファインダ３４ａが設けられた筐体の位置を変更するようにしても良い。例えば、ポップアップ構造によって、通常状態の位置からそのまま上方に位置を変更する機構を設けるようにしても良い。
【００６１】
また、レンズ位置変更機構８３は、第１実施形態で説明した電子スチルカメラ１２、すなわちシャッタ連動コネクタ３５が設けられた既存の一般的なカメラに実装するようにしても良い。
【００６２】
このようにして、第２実施形態では、第１実施形態における効果に加えて、連動撮影用のアダプタを、折り畳み式の構造として電子スチルカメラ１２の筐体前面に連動シャッタ用フィルムカメラ接続部１４ａとして組み込んで設けたので、アダプタを別に携行したり接続する手間を省くことができる。また、電子スチルカメラ１２の撮像レンズ３０ａや光学ファインダ３４ａは、前面に併置する銀塩フィルムカメラ１０の筐体が視野の障害とならないように、レンズ位置変更機構８３によって高い位置に設置位置を切り替えることができるようにしたので、筐体や撮像レンズの設置位置の異なる各種の銀塩フィルムカメラ１０と連動撮影できるようになり汎用性が高まる。
【００６３】
なお、前述した第１及び第２実施形態では、連動シャッタ用接続アダプタ１４，１４ａには連動シャッタスイッチ４５，４５ａが設けられ、この連動シャッタスイッチ４５，４５ａに対する操作によって電子スチルカメラ１２（１２ａ）と銀塩フィルムカメラ１０の両方に対してシャッタ動作を実行させるようにしているが、シャッタ操作を受け付ける別の機能を連動シャッタ用接続アダプタ１４，１４ａに設けるようにしても良い。例えば、リモコン用光センサを設け、別の筐体で構成されるシャッタ操作を指示する信号を送信するリモコン装置からの光信号を受信し、この信号の受信に応じて銀塩フィルムカメラ１０及び電子スチルカメラ１２（１２ａ）に対してシャッタ操作を実行させる。この場合、銀塩フィルムカメラ１０が機械的なボタンを押しによるシャッタ操作が必要な場合には、連動シャッタ用接続アダプタ１４，１４ａに機械的なボタンを押し動作を実行する機構を設けてもよい。また、銀塩フィルムカメラ１０が、電気的接続によるシャッタ操作の入力を受け付ける場合には、前述した電子スチルカメラ１２（１２ａ）に対する場合と同様にして、連動シャッタ用接続アダプタ１４，１４ａに銀塩フィルムカメラ１０と電気的に接続して、シャッタ操作を実行させるようにしても良い。
【００６４】
また、第１及び第２実施形態において説明した連動シャッタ用接続アダプタ１４あるいは連動シャッタ用フィルムカメラ接続部１４ａでは、銀塩フィルムカメラ１０を固定支持する第１支持部材４１，４１ａと、第２支持部材４２，４２ａとの幅が固定、すなわち固定支持可能な銀塩フィルムカメラ１０の筐体高さが限定されるものとしているが、第１支持部材４１，４１ａと第２支持部材４２，４２ａとの幅を可変として、筐体高さが異なる種類の銀塩フィルムカメラ１０を固定支持できるようにしても良い。
【００６５】
（第３実施形態）  
次に、本発明の第３実施形態について説明する。  
図８は、第３実施形態における銀塩フィルムカメラ１０（フィルムカメラ１０ａ、一眼レフフィルムカメラ１０ｂ）、電子スチルカメラ１２ｂの構成を示す図である。図８（ａ）は、レンズ付きフィルムなどのフィルムカメラ１０ａを用いた場合、図８（ｂ）は一眼レフフィルムカメラ１０ｂを用いた場合の構成をそれぞれ断面によって示す図である。
【００６６】
第３実施形態では、第１または第２実施形態と同様にして一体化された２つのカメラのファインダの光軸を同一となるように構成している。なお、図８は、２つのカメラのファインダの光軸を明示するためのもので、連動シャッタ用接続アダプタ１４あるいは連動シャッタ用フィルムカメラ接続部１４ａの部分については図示を省略している。
【００６７】
図８（ａ）では、フィルムカメラ１０ａに設けられたファインダ２４ａの光軸と、アダプタを介して一体化された電子スチルカメラ１２ｂの光学ファインダ３４ｂとの光軸が一致している。連動シャッタ用接続アダプタ１４あるいは連動シャッタ用フィルムカメラ接続部１４ａは、図８（ａ）に示すように、２つのカメラのファインダの光軸が同一となるような位置でフィルムカメラ１０ａを固定支持することができるように設けられている。
【００６８】
図８（ｂ）では、一眼レフフィルムカメラ１０ｂの撮像レンズ２０ｂから筐体内のハーフミラー、ペンタプリズム等を介したファインダ２４ｂの光軸と、アダプタを介して一体化された電子スチルカメラ１２ｂの光学ファインダ３４ｂとの光軸が一致している。図８（ｂ）に示すように、一眼レフフィルムカメラ１０ｂを用いた場合も同様にして、２つのカメラのファインダの光軸が同一となるような位置で一眼レフフィルムカメラ１０ｂを固定支持することができるように、連動シャッタ用接続アダプタ１４あるいは連動シャッタ用フィルムカメラ接続部１４ａが設けられる。
【００６９】
また、図８に示すように、銀塩フィルムカメラ１０と電子スチルカメラ１２のファインダの光軸を同一とする構成の場合、近接撮影時などの電子スチルカメラ１２の光学ファインダ３４ｂと、銀塩フィルムカメラ１０（１０ａ，１０ｂ）の撮像レンズ２０との間の視差（パララックス）補正用の撮影範囲枠を、電子スチルカメラ１２ｂのレンズ位置に合わせて可変調節したり任意に設定して表示でき機能を設けることもできる。
【００７０】
この場合、電子スチルカメラ１２ｂのシステム制御部６０は、操作部７４（操作部３７）からの指示に応じて、撮影範囲枠を表示させるための画像データを記録し、表示部７３（電子ファインダ３８）によってモニタ画像と共に表示させる。あるいは光学ファインダ３４においても同様にして可変調節可能な撮影範囲枠を表示させる。
【００７１】
こうして、ファインダに表示される視差補正用の撮影範囲枠を確認しながら被写体の位置合わせをすることで、銀塩フィルムカメラ１０と電子スチルカメラ１２ｂの両方で適切に被写体を捉えた画像の撮影を可能にできる。
【００７２】
このようにして、第３実施形態では、第１及び第２実施形態における効果に加えて、２つのカメラのファインダの光軸を同一となるように構成したので、両方のファインダを通して同時撮影することができるので、互いの撮像レンズとファインダの視差の補正などを容易に行うことができる。また、電子スチルカメラ１２ｂの電子ファインダ（液晶モニタ）に、視差補正用の銀塩フィルムカメラ１０による撮影範囲枠を可変調整して表示できるようにすることで、同時に２つのカメラで連動撮影を行っても、被写体の一部が切れてしまうなど撮影の失敗を防ぐことができる。
【００７３】
なお、前述した説明ように、２つのカメラのファインダの光軸を完全に同一にすることが好ましいが、カメラの構造の違いなどから完全に一致しなくても略同一であれば問題はない。この場合、視差補正用の撮影範囲枠の表示を僅かな光軸のずれを考慮して設定することで、問題なく２つのカメラで確実に被写体を捉えた画像を連動撮影することができる。
【００７４】
（第４実施形態）  
次に、本発明の第４実施形態について説明する。  
図９は、第４実施形態における２つの電子スチルカメラ１２（１２−１，１２−２）と２つの電子スチルカメラ１２を接続するアダプタとして機能する雲台部８６が設けられた三脚８５の外観構成を示す図である。
【００７５】
三脚８５の上部には、電子スチルカメラ１２−１を固定指示するためのカメラ固定用雲台８６−１と、電子スチルカメラ１２−２を固定指示するためのカメラ固定用雲台８６−２とが設けられた雲台部８６が設けられている。カメラ固定用雲台８６−１，８６−２には、それぞれに対応する電子スチルカメラ１２−１，１２−２に設けられた連動操作入出力用コネクタ３５−１，３５−２に装着される連動操作入出力用ジャック８７−１，８７−２が設けられている。連動操作入出力用コネクタ３５−１，３５−２は、第１実施形態におけるシャッタ連動コネクタ３５、また連動操作入出力用ジャック８７−１，８７−２は、第１実施形態におけるリモートシャッタ連動ジャック４４とそれぞれ同様の形状を有する。
【００７６】
なお、カメラ固定用雲台８６−１，８６−２の連動操作入出力用ジャック８７−１，８７−２は、電子スチルカメラ１２−１，１２−２の後面に設けられた連動操作入出力用コネクタ３５−１，３５−２と装着されるように設けられているが、電子スチルカメラ１２−１，１２−２の前面側で装着されるようにしても良い。
【００７７】
また、雲台部８６には、連動操作ボタン８８が設けられている。連動操作ボタン８８は、雲台部８６の筐体内部に配線されたバス（図１０参照）、連動操作入出力用ジャック８７−１，８７−２を介して、電子スチルカメラ１２−１，１２−２と電気的に接続され、第１乃至第３実施形態と同様に、一度のシャッタ操作によって２つのカメラを連動して同時撮影させることができる。
【００７８】
また、第４実施形態では、雲台部８６に固定支持される２つの電子スチルカメラ１２−１，１２−２によって同時撮影し、かつ一方で撮影したスチル画像や動画像のデータを他方のカメラ側に送信して、両方のカメラで撮影された画像データを関連付けて自動編集して記録することで、例えばステレオ（三次元）のステレオ画像やステレオ動画像とする。この場合、電子スチルカメラ１２−１，１２−２は、カメラ固定用雲台８６−１，８６−２によって、各撮像レンズの中心間の距離が人間の左右の目の中心間の寸法に略一致する距離、例えば６〜７ｃｍ離して固定支持されるようになっている。
【００７９】
また、電子スチルカメラ１２−１，１２−２に設けられるシャッタ連動コネクタ３５−１，３５−２とカメラ固定用雲台８６−１，８６−２に設けられる連動操作入出力用ジャック８７−１，８７−２は、シャッタ操作を同時にさせる電気信号だけでなく、例えば一方の電子スチルカメラ１２−２によって撮影したスチル画像や動画像のデータを、例えば電子スチルカメラ１２−１側に送信するためのシリアル信号を送受信するためのインタフェースとして用いられる。さらに、データ信号だけでなく、コマンド信号の送受信をすることもできる。
【００８０】
図１０には、２つの電子スチルカメラ１２−１，１２−２、連動操作ボタン８８の接続の具体例を示すブロック図である。
【００８１】
電子スチルカメラ１２−１，１２−２と連動操作ボタン８８は、雲台部８６に設けられるバス配線、例えば２線式シリアルバス配線９０によって相互に接続される。
【００８２】
２線式シリアルバス配線９０は、シリアルデータライン（ＳＤＡ）９１、シリアルクロックライン（ＳＣＫ）９２を含み、例えば電子スチルカメラ１２−１のプルアップ抵抗９４を介してＶｃｃに接続されている。
【００８３】
シリアルデータライン９１及びシリアルクロックライン９２には、電子スチルカメラ１２−１に設けられるマスタ送受信部９５、電子スチルカメラ１２−２に設けられるスレーブ送受信部９６、連動操作ボタン８８に設けられるマスタ送信部９８、さらに例えば雲台部８６あるいは図示せぬ他の機器に設けられるスレーブ受信部９７がそれぞれ接続される。
【００８４】
マスタ送信部９８は、連動操作ボタン８８に対するスイッチ操作に応じてシャッタスイッチ信号を、２線式シリアルバス配線９０を介して電子スチルカメラ１２−１，１２−２のマスタ送受信部９５，９６に送信して、連動した同時撮影を実行させる。
【００８５】
スレーブ送受信部９６は、電子スチルカメラ１２によって撮影された画像データ（スチル画像、動画像）を、２線式シリアルバス配線９０を介してマスタ送受信部９５に送信する。マスタ送受信部９５は、スレーブ送受信部９６から受信した画像データを、電子スチルカメラ１２−１によって撮影された画像データと関連付けて（ステレオ画像）記録させる。
【００８６】
また、マスタ送受信部９５，９６が共にそれぞれの電子スチルカメラ１２−１，１２−２によって撮影された画像データを、スレーブ受信部９７に送信するようにしても良い。スレーブ受信部９７は、２つのカメラから受信した画像データを関連づけて記憶媒体（メモリなど）に記録させる。
【００８７】
このようにして、第４実施形態では、ステレオ画像の左右画像を２つの電子スチルカメラ１２（１２−１，１２−２）で同時に連動して撮影できるようにし、かつ、一方の撮影画像データを他方のカメラに送信して合成記録や自動編集できるようにしたので、簡単にステレオ画像やステレオ動画像を誰でも簡単に撮影することができ、既存の電子スチルカメラ１２が持つ機能を有効に利用して用途を拡張することができる。例えば、同じ型の電子スチルカメラ１２を友人が持っていれば、自分が持っているカメラと合わせて２台のカメラを用いて、動画像を一度にステレオ撮影でき、また一方のカメラ内で自動的にステレオ動画像として１つのファイルに合成記録したり自動編集することができる。
【００８８】
なお、本発明は、前述した実施形態に限定されるものではなく、実施段階ではその要旨を逸脱しない範囲で種々に変形することが可能である。また、前述した実施形態で実行される機能は可能な限り適宜組み合わせて実施しても良い。前述した実施形態には種々の段階の発明が含まれており、開示される複数の構成要件における適宜の組み合わせにより種々の発明が抽出され得る。例えば、実施形態に示される全構成要件から幾つかの構成要件が削除されても、効果が得られるので有れば、この構成要件が削除された構成が発明として抽出され得る。
【図面の簡単な説明】
【００８９】
【図１】本発明の第１実施形態における銀塩フィルムカメラ１０、電子スチルカメラ１２、及び連動シャッタ用接続アダプタ１４の使用状態を示す図。
【図２】本発明の第１実施形態における銀塩フィルムカメラ１０の外観構成（斜視図）を示す図。
【図３】本発明の第１実施形態における電子スチルカメラ１２の外観構成（斜視図）を示す図。
【図４】本発明の第１実施形態における連動シャッタ用接続アダプタ１４の外観構成を示す図。
【図５】本発明の第１実施形態における銀塩フィルムカメラ１０、電子スチルカメラ１２、連動シャッタ用接続アダプタ１４の接続方法を示す図。
【図６】図１に示す状態における、銀塩フィルムカメラ１０、電子スチルカメラ１２、及び連動シャッタ用接続アダプタ１４の機能構成を示す図を示す図。
【図７】本発明の第２実施形態における銀塩フィルムカメラ１０、電子スチルカメラ１２ａの構成と接続方法を示す図。
【図８】本発明の第３実施形態における銀塩フィルムカメラ１０（フィルムカメラ１０ａ、一眼レフフィルムカメラ１０ｂ）、電子スチルカメラ１２ｂの構成を示す図。
【図９】本発明の第４実施形態における２つの電子スチルカメラ１２（１２−１，１２−２）と２つの電子スチルカメラ１２を接続するアダプタとして機能する雲台部８６が設けられた三脚８５の外観構成を示す図。
【図１０】本発明の第４実施形態における２つの電子スチルカメラ１２−１，１２−２、連動操作ボタン８８の接続の具体例を示すブロック図。
【符号の説明】
【００９０】
１０…銀塩フィルムカメラ、１２，１２ａ，１２ｂ…電子スチルカメラ、１４…連動シャッタ用接続アダプタ、１４ａ…連動シャッタ用フィルムカメラ接続部、２０，３０…撮像レンズ、２２…シャッタボタン、２４，２４ａ…ファインダ、２６，３６…ストロボ、２７…ストロボスイッチ、３１，３１ａ…シャッタスイッチ、３２…電源スイッチ、３４，３４ａ，３４ｂ…光学ファインダ、３５…シャッタ連動コネクタ、３５−１，３５−２…連動操作入出力用コネクタ、３７…操作部、３８…電子ファインダ、４０…基底支持部材、４１，４１ａ…第１支持部材、４２，４２ａ…第２支持部材、４４…リモートシャッタ連動ジャック、４５，４５ａ…連動シャッタスイッチ、５０…レンズ／露光系ユニット、５１，６４…シャッタ、５２…フィルム室ユニット、５３，６３…シャッタ／露光系、５４，６１…ストロボ制御部、５５，８１…電池、５６…フィルム、６０…システム制御部、６２…タイミング制御部、６５…撮像素子、６６…Ａ／Ｄ変換部、６７…シャッタ制御部、６８…絞り制御部、６９…画像信号処理部、７０…画像データメモリ、７２…表示用画像データメモリ、７３…表示部、７４…操作部、７５，７７…Ｉ／Ｏインタフェース、７６…通信部／送受信部、７８…着脱式外部メモリ、７９…電源スイッチ、８０…電源制御部、８３…レンズ位置変更機構、８５…三脚、８６…雲台部、８６−１，８６−２…カメラ固定用雲台、８７（８７−１，８７−２）…連動操作入出力用ジャック、８８…連動操作ボタン、９５…マスタ送受信部、９６…スレーブ送受信部、９７…スレーブ受信部、９８…マスタ送信部。
【図１】
2005106961.tif 000003
【図２】
2005106961.tif 000004
【図３】
2005106961.tif 000005
【図４】
2005106961.tif 000006
【図５】
2005106961.tif 000007
【図６】
2005106961.tif 000008
【図７】
2005106961.tif 000009
【図８】
2005106961.tif 000010
【図９】
2005106961.tif 000011
【図１０】
2005106961.tif 000012